(57)【要約】【課題】本発明は、カメラ構造の取付方法に関するものである。【解決手段】本発明のカメラ構造の取付方法は、冷蔵庫を提供し、冷蔵庫は少なくともドア、キャビネット及びカメラ構造を備え、ドアはキャビネットに接続され、カメラ構造はロックベース、固定ベース及びカメラを備え、固定ベースは前記ロックベースに固定され、カメラは固定ベースに固定され、固定ベースは一つの凹溝を備え、凹溝はカメラを配置するのに用いられ、ロックベースはドアに設置されるステップを含む。また、前記カメラ構造の取付方法はスピーディーであり、簡単である。【選択図】図３
2019074740.tif 000002
【特許請求の範囲】
【請求項１】
カメラ構造の取付方法であって、
冷蔵庫を提供し、前記冷蔵庫は少なくともドア、キャビネット及びカメラ構造を備え、前記ドアは前記キャビネットに接続され、前記カメラ構造はロックベース、固定ベース及びカメラを備え、
前記固定ベースは前記ロックベースに固定され、
前記カメラは前記固定ベースに固定され、前記固定ベースは一つの凹溝を備え、前記凹溝は前記カメラを配置するのに用いられ、
前記ロックベースは前記ドアに設置されるステップを含むことを特徴とするカメラ構造の取付方法。
【請求項２】
前記カメラ構造はさらに、
穿孔が設置されたカバー板により前記凹溝をカバーし、前記カメラは前記穿孔により前記カバー板に露出されるステップを含むことを特徴とする請求項１に記載のカメラ構造の取付方法。
【請求項３】
前記カメラ構造の取付方法は、
フックにより前記カメラを前記凹溝に係合させ、前記フックは前記凹溝内に設置され、前記フックはＵ字状を呈し、前記カメラは前記フックのＵ字状の口により、係合して固定されるステップを含むことを特徴とする請求項１に記載のカメラ構造の取付方法。
【請求項４】
前記ロックベースは底板と突出部を備え、前記底板は前記冷蔵庫のドアに設置され、前記突出部は前記底板に対して垂直に設置され、前記固定ベースは前記突出部により前記ロックベース上に固定されることを特徴とする請求項１に記載のカメラ構造の取付方法。
【請求項５】
前記固定ベースは頂壁と外周壁を備え、前記外周壁は前記頂壁を囲んで設置されて、一つの配置部を形成し、前記配置部は一つの開口を備え、前記突出部は前記開口により前記配置部に配置され、且つ前記ロックベースの底板は前記開口を遮蔽し、前記凹溝は前記頂壁に設置されることを特徴とする請求項４に記載のカメラ構造の取付方法。
【請求項６】
前記外周壁には第一通孔と第一接続柱が設置され、前記第一接続柱は前記第一通孔に対応して設置され、前記第一接続柱は前記配置部に向けて延伸し、前記突出部には前記第一接続柱に対応してマッチする第一取付柱が設置されており、前記第一取付柱と前記第一接続柱とは接続されて、第一方向に前記固定ベースを前記ロックベースに固定することを特徴とする請求項５に記載のカメラ構造の取付方法。
【請求項７】
前記凹溝は底壁と周壁を備え、前記底壁には第二通孔と第二接続柱が設置されており、前記第二接続柱は前記第二通孔に対応して設置され、前記第二接続柱は前記配置部に向けて延伸し、前記突出部には前記第二接続柱に対応してマッチする第二取付柱が設置され、前記第二取付柱と前記第二接続柱は接続され、第二方向に前記固定ベースが前記ロックベースに固定され、前記第一方向と前記第二方向は互いに垂直であることを特徴とする請求項６に記載のカメラ構造の取付方法。
【請求項８】
前記ロックベースはさらに補強部を備え、前記補強部はＬ型を呈し、前記補強部は前記底板と前記突出部との間に設置されることを特徴とする請求項４に記載のカメラ構造の取付方法。
【請求項９】
前記外周壁は左側壁、右側壁、上側壁及び下側壁を備え、前記左側壁と前記右側壁とは対向して設置され、前記左側壁と前記右側壁は何れも前記第一方向に位置し、前記上側壁と前記下側壁とは互いに対向して位置し、前記上側壁と前記下側壁は何れも第三方向に位置し、前記第一方向と前記第三方向とは互いに垂直であることを特徴とする請求項６に記載のカメラ構造の取付方法。
【請求項１０】
前記カメラ構造は前記ドアと前記キャビネットの接続箇所に設置され、且つ前記ドアが開く位置に近接することを特徴とする請求項１に記載のカメラ構造の取付方法。
【発明の詳細な説明】
【技術分野】
【０００１】
本発明は、カメラ構造の取付方法に関する。
【背景技術】
【０００２】
現在、画像識別機能を有する冷蔵庫カメラを設置する位置は多種多様であり、カメラの数量、取付構造及び取付方法は複雑である。したがって、冷蔵庫全体の機能等に影響を与える。
【発明の概要】
【発明が解決しようとする課題】
【０００３】
以上の問題点に鑑みて、本発明は、素早く取り付けることができるカメラ構造の取付方法を提供することを目的とする。
【課題を解決するための手段】
【０００４】
本発明のカメラ構造の取付方法は、冷蔵庫を提供し、冷蔵庫は少なくともドア、キャビネット及びカメラ構造を備え、ドアはキャビネットに接続され、カメラ構造はロックベース、固定ベース及びカメラを備え、固定ベースは前記ロックベースに固定され、カメラは固定ベースに固定され、固定ベースは一つの凹溝を備え、凹溝はカメラを配置するのに用いられ、ロックベースはドアに設置されるステップを含む。また、前記カメラ構造の取付方法はスピーディーであり、簡単である。
【図面の簡単な説明】
【０００５】
【図１】本発明に係る実施形態のカメラ構造を有する冷蔵庫の構造を示す図である。
【図２】本発明の図１に示すカメラ構造の構造を示す図である。
【図３】本発明の図２に示すカメラ構造のある角度から見た構造分解図である。
【図４】本発明の図２に示すカメラ構造の別の角度から見た構造分解図である。
【図５】本発明の図３に示すカメラ構造のＩＩＩ部分の拡大図である。
【発明を実施するための形態】
【０００６】
以下、具体的な実施方法と図面とを併せて、本発明を詳細に説明する。
【０００７】
本発明の実施例中の図面と併せて、本発明の実施例中の技術方案に対して明瞭且つ完全に説明する。しかしながら、この説明する実施例は、本発明の一部の実施例に過ぎず、全ての実施例ではない。本発明中の実施例に基づき、当業者が創造的な労働を必要とせずに得たその他の実施例は、全て本発明の保護範囲に属する。
【０００８】
特別に定義しない限り、本発明で使用する全ての技術及び科学技術用語は、本発明の当業者が通常理解できる意味と同じである。本文において、本発明の明細書中で使用されている技術用語は、具体的に実施例の目的を説明するためだけのものであり、本発明を限定するものではない。
【０００９】
以下図面と併せて、本発明の実施例について詳細に説明する。矛盾しない限り、以下に記載の実施例と実施例中の特徴は互いに組み合わせることができる。
【００１０】
図１を参照すると、本発明は冷蔵庫１００を提供する。冷蔵庫１００はカメラ構造１０、キャビネット２０及びドア３０を備える。キャビネット２０はさらにトレー４０を備える。トレー４０を設置することにより、キャビネット２０において保存物を容易に分類できる。ドア３０はキャビネット２０に接続されており、ドア３０はキャビネット２０に対して開閉できる。カメラ構造１０はドア３０に設置されている。ドア３０がキャビネット２０に対して閉まっている時、カメラ構造１０はキャビネット２０に向いている。本実施例において、説明を容易にするために、ドア３０のキャビネット２０に向いている一面をドア３０の内表面３０１と定義し、ドア３０の内表面３０１に背面している一面をドア３０の外表面３０３と定義する。
【００１１】
図２及び図３を参照すると、カメラ構造１０はカメラ５０を備える。カメラ構造１０はさらにロックベース１０１と固定ベース１０３を備える。固定ベース１０３は、ロックベース１０１によりドア３０の内表面３０１に固定される。固定ベース１０３はカメラ５０を設置するのに用いられる。
【００１２】
図４を参照すると、本実施例において、ロックベース１０１の断面は略Ｌ型を呈している。ロックベース１０１は底板１０２と突出部１０４を備える。底板１０２は略矩形のシート状を呈する。説明を容易にするために、底板１０２のドア３０に背面する一面を第一表面１０２１と定義し、第一表面１０２１に背面する一面を第二表面１０２２と定義する。
【００１３】
突出部１０４は、底板１０２の第一表面１０２１の一つの辺縁から垂直な方向に延伸して形成されている。さらに、ロックベース１０１は補強部１０１１を備える。本実施例において、補強部１０１１は略Ｌ型を呈する。補強部１０１１は底板１０２と突出部１０４との間に位置して、底板１０２と突出部１０４との間の接続を強固にする。
【００１４】
本実施例において、底板１０２上にはロック孔１０２３が設置されている。このように、ねじ等の取付部品を利用してこのロック孔１０２３を貫通して、ロックベース１０１をドア３０の内表面３０１にロックする。
【００１５】
一つの実施例において、底板１０２の第二表面１０２２にはブロック１０２４が設置されている。対応して、ドア３０の内表面３０１にもブロック１０２４にマッチするマッチ溝（図示せず）が対応して設置されている。このように、ロックベース１０１はこのブロック１０２４により前記マッチ溝に係合される。
【００１６】
もう一つの実施例において、ロックベース１０１を予めドア３０内に埋め込んでロックベース１０１を固定してもよい。同時に、突出部１０４は内表面３０１から突出している。
【００１７】
その他の実施例において、カメラ構造１０中の各ケーブル（図示せず）の配線を整理するために、突出部１０４上に少なくとも一つの配線溝１０４１が設置されている。具体的には、突出部は略Ｌ型を呈し、底板１０２に略垂直に接続された側面と底板１０２に平行な頂面を含む。突出部１０４の頂面は対向して二つのリブ１０４２が設置されており、二つのリブ１０４２と突出部１０４の頂壁は共同で配線溝１０４１を形成する。ケーブルは配線溝１０４１中を通ることができる。
【００１８】
さらに、突出部１０４の頂面にはさらに少なくとも一つの位置決め部１０４３が設置されている。本実施例において、位置決め部１０４３は略Ｍ型を呈している。位置決め部１０４３は、配線溝１０４１を貫通するケーブルを位置決めするのに用いられ、ケーブルが配線溝１０４１を離脱するのを防止する。
【００１９】
底板１０２上には少なくとも一つの第一ケーブル口１０２５が設置されている。突出部１０４の頂面には、少なくとも一つの第二ケーブル口１０４４が設置されている。第一ケーブル口１０２５と第二ケーブル口１０４４は何れもケーブルの出し入れに用いられる。
【００２０】
本実施例において、固定ベース１０３は略長方体構造を呈する。固定ベース１０３は頂壁１０５と外周壁１０７を含む。外周壁１０７は、上側壁１０７１、下側壁１０７２、左側壁１０７３及び右側壁１０７４を備える。上側壁１０７１と下側壁１０７２とは対向して設置されている。左側壁１０７３と右側壁１０７４とは対向して設置されている。上側壁１０７１、下側壁１０７２、左側壁１０７３及び右側壁１０７４は頂壁１０５を囲んで、共同で配置部２００を形成している。配置部２００は一つの開口１０３１を有する。ロックベース１０１の突出部１０４はこの開口１０３１により、配置部２００に配置される。
【００２１】
さらに、外周壁１０７上は少なくとも一つの第一通孔１０３２が設けられている。この少なくとも一つの第一通孔１０３２は外周壁１０７を貫通している。外周壁１０７には第一接続柱１０３３が設置されており、第一接続柱１０３３は配置部２００内に位置する。具体的には、第一接続柱１０３３は円筒構造である。第一接続柱１０３３は第一通孔１０３２に対応して設置されている。第一接続柱１０３３の一端は外周壁１０７に略垂直であり、もう一端は配置部２００内に向けて延伸している。本実施例において、第一接続柱１０３３は左側壁１０７３に設置されている。対応して、突出部１０４上の第一接続柱１０３３に対応する位置にはマッチする第一取付柱１０１５が設置されている。第一取付柱１０１５はねじピラーである。このように、ねじ等の取付部品は第一通孔１０３２により第一接続柱１０３３を貫通し、並びに第一取付柱１０１５内に接続される。したがって、第一方向（例えば、Ｘ軸方向）に、固定ベース１０３をロックベース１０１に螺接させる。
【００２２】
固定ベース１０３の頂壁１０５には、一つの凹溝１０６が設けられている。本実施例において、凹溝１０６は略矩形を呈する。凹溝１０６は底壁１０６１と周壁１０６２を備える。凹溝１０６はカメラ５０を設置するのに用いられる。凹溝１０６はキャビネット２０に向けて設置されている。このように、凹溝１０６に設置されているカメラ５０はキャビネット内の保存物に対して撮影することができる。対応して、冷蔵庫１００にはさらにタブレットパソコン（図示せず）が設置されている。前記タブレットパソコンはドア３０の外表面３０３に設置されている。タブレットパソコンとカメラ５０は有線または無線により接続され、カメラ５０が撮影した冷蔵庫１００の保存状況をタブレットパソコン上にフィードバックする。このように、使用者は、ドア３０を開けなくとも冷蔵庫１００内の品物の保存状況がわかる。
【００２３】
さらに、凹溝１０６には第二通孔１０６３が設けられている。本実施例において、第二通孔１０６３は底壁１０６１に設置され、且つ底壁１０６１を貫通している。底壁１０６１には第二接続柱１０６４が設置されており、且つ第二接続柱１０６４は配置部２００内に位置する。具体的には、第二接続柱１０６４は円筒構造である。第二接続柱１０６４は第二通孔１０６３に対応して設置されている。第二接続柱１０６４の一端は底壁１０６１に略垂直に接続されており、もう一端は配置部２００内に向けて延伸している。対応して、突出部１０４の第二接続柱１０６４に対応する位置にマッチする第二取付柱１０１７が設置されている。第二取付柱１０１７はねじピラーである。このように、ねじ等の取付部品は第二通孔１０６３により第二接続柱１０６４を貫通し、並びに第二取付柱１０１７内に配置される。したがって、第二方向（例えば、Ｙ軸方向）に固定ベース１０３をロックベース１０１に螺接させる。前記第一方向と第二方向とは互いに垂直である。
【００２４】
その他の実施例において、上側壁１０７１にはフック部１０７５が設置されている。対応して、ロックベース１０１上にはフック部１０７５とマッチするクラスプ１０１９が設置されている。フック部１０７５はクラスプ１０１９に係合されて、さらに第二方向に固定ベース１０３をロックベース１０１に固定する。
【００２５】
冷蔵庫１００内の保存物に対して、無死角全方位を撮影する。好ましくは、固定ベース１０３の上側壁１０７１と下側壁１０７２は何れも第三方向に位置する。即ち、カメラ構造１０は第三方向に位置する。前記第一方向、第二方向、第三方向は何れも互いに垂直である。本実施例において、第三方向はＺ軸方向と定義される。このように、カメラ構造１０はＺ軸方向に位置し、且つドア３０の内表面３０１に設置される場合、カメラ５０はキャビネット２０の各層のトレー４０に対応して設置されるまたはカメラ５０の撮影視覚範囲に基づいて調整される。したがって、カメラ５０がキャビネット２０が保存している全ての品物を撮影できることを保証する。同時に、カメラ構造１０はドア３０とキャビネット２０の接続箇所に設置されており、且つドア３０が開く箇所に近接している。このような設置により、ドア３０の内表面３０１に取り付けられているその他の部品、例えば、収納ボックス６０に影響しない。固定ベース１０３の外周壁１０７には突出ブロック１０７６が設置されている。この突出ブロック１０７６は、収納ボックス６０がドア３０に設置されことを補助する。
【００２６】
また、カメラ５０のキャビネット２０の保存状況の撮影に影響するのを防止するよう、カメラ５０の撮影する視覚範囲に遮断物が無い。
【００２７】
図５を参照すると、底壁１０６１にフック１０６７が設置されることが好ましい。フック１０６７を介してカメラ５０に係合されるため、カメラ５０は固定ベース１０３上に固定される。具体的には、フック１０６７は略Ｕ字状を呈し、カメラ５０をフック１０６７のＵ字状の口により、フック１０６７に係合して、カメラ５０を固定する。
【００２８】
さらに、カメラ構造１０はさらにコネクタ１０８を備える。コネクタ１０８はカメラ５０とドア３０内のその他の電子部品を電気接続するのに用いられる。本実施例において、コネクタ１０８はシート状を呈する。対応して、配置空間１０６６には少なくとも一つの貫通口１０６８が設けられている。貫通口１０６８はコネクタ１０８を配置するのに用いられる。貫通口１０６８はフック１０６７に近接して設置されるのが好ましい。カメラ５０に接続されていないコネクタ１０８の一端が貫通口１０６８に挿入された時、カメラ５０も共にフック１０６７に係合される。
【００２９】
その他の実施例において、カメラ構造１０はさらにカバー板１０９を備える。カバー板１０９は凹溝１０６をカバーし、カメラ５０を固定するのに用いられる。カバー板１０９にはカメラ５０に対応する位置に穿孔１０９１が設けられており、カメラ５０のレンズをカバー板１０９から露出させる。このように、カメラ５０を固定すると同時に、さらにカメラ５０の正常な撮影を保証する。また、カバー板１０９はさらにカメラ５０に対して保護及び装飾作用を生成する。
【００３０】
本実施例において、カバー板１０９は係合の方法により固定ベース１０３に固定される。カバー板１０９の外周には係合ストリップ１０９２が設置されている。対応して、凹溝１０６の周壁１０６２にはマッチする係合溝１０６９が対応して設置されている。このように、係合ストリップ１０９２は係合溝１０６９に対応して係合接続されるため、カバー板１０９は予め係合接続して固定ベース１０３に接続することができる。当然、その他の方法、例えば、接着方法またはねじ山の接続方法等を採用してカバー板１０９を固定ベース１０３に固定してもよい。
【００３１】
カメラ構造１０の取り付けプロセスは以下のステップを含む。
【００３２】
ステップ１：冷蔵庫１００を提供する。冷蔵庫１００はカメラ構造１０、キャビネット２０、ドア３０、トレー４０及びタブレットパソコン（図示せず）を含む。ドア３０はキャビネット２０に接続されている。トレー４０はキャビネット２０内に設置される。タブレットパソコン（図示せず）はドア３０の外表面３０３に設置される。カメラ構造１０はカメラ５０、ロックベース１０１及び固定ベース１０３を備える。
【００３３】
ステップ２：固定ベース１０３をロックベース１０１に設置する。
【００３４】
ロックベース１０１の断面図は略Ｌ型を呈する。ロックベース１０１は底板１０２と突出部１０４を備える。底板１０２は略矩形のシート状である。突出部１０４は底板１０２の第一表面１０２１の一つの辺縁に垂直な方向に延長して形成される。
【００３５】
固定ベース１０３は略長方形構造を呈する。固定ベース１０３は頂壁１０５と外周壁１０７を備える。外周壁１０７は、上側壁１０７１、下側壁１０７２、左側壁１０７３及び右側壁１０７４を備える。上側壁１０７１、下側壁１０７２、左側壁１０７３及び右側壁１０７４は頂壁１０５を囲んで設置され、配置部２００を形成する。配置部２００は一つの開口１０３１を有する。ロックベース１０１上の突出部１０４は、この開口１０３１により配置部２００に配置される。
【００３６】
具体的には、外周壁１０７は少なくとも一つの第一通孔１０３２が設けられている。この少なくとも一つの第一通孔１０３２は外周壁１０７を貫通している。外周壁１０７には第一接続柱１０３３が設置されており、且つ第一接続柱１０３３は配置部２００に位置する。具体的には、第一接続柱１０３３は円筒構造である。第一接続柱１０３３は第一通孔１０３２に対応して設置されている。第一接続柱１０３３の一端は外周壁１０７に略垂直であり、もう一端は配置部２００内に向けて延伸している。本実施例において、第一接続柱１０３３は左側壁１０７３に設置されている。対応して、突出部１０４上の第一接続柱１０３３に対応する位置にマッチする第一取付柱１０５５が設置されている。第一取付柱１０１５はねじピラーである。このように、ねじ等の取付部品は第一通孔１０３２により第一接続柱１０３３を貫通し、並びに第一取付柱１０１５内に接続される。したがって、第一方向（例えば、Ｘ軸方向）に固定ベース１０３をロックベース１０１に螺接する。
【００３７】
固定ベース１０３の頂壁１０５には一つの凹溝１０６が設けられている。凹溝１０６は略矩形を呈する。凹溝１０６は底壁１０６１と周壁１０６２を備える。さらに凹溝１０６には第二通孔１０６３が設けられている。本実施例において、第二通孔１０６３は底壁１０６１に設置され、且つ底壁１０６１を貫通する。底壁１０６１には第二接続柱１０６４が設置されており、且つ第二接続柱１０６４は配置部２００内に位置する。具体的には、第二接続柱１０６４は円筒構造である。第二接続柱１０６４は第二通孔１０６３に対応して設置される。第二接続柱１０６４の一端は底壁１０６１に略垂直に接続され、もう一端は配置部２００内に向けて延伸している。対応して、突出部１０４の第二接続柱１０６４に対応する位置にマッチする第二取付柱１０１７が設置されている。第二取付柱１０１７はねじピラーである。このように、ねじ等の取付部品は第二通孔１０６３により第二接続柱１０６４を貫通し、並びに第二取付柱１０１７内に配置される。したがって、第二方向（例えば、Ｙ軸方向）に、固定ベース１０３をロックベース１０１に螺接する。前記第一方向と前記第二方向とは互いに垂直である。
【００３８】
ステップ３：カメラ５０を固定ベース１０３に固定する。
【００３９】
カメラ５０を接着の方法により凹溝１０６内に固定する。
【００４０】
さらに凹溝１０６には複数のバックル板１０６５が設置されている。バックル板１０６５は凹溝１０６を複数の配置空間１０６６に分ける。配置空間１０６６はカメラ５０を配置するのに用いられる。各配置空間１０６６はキャビネット２０の各層のトレー４０に対応して設置される。したがって、カメラ５０がキャビネット２０が保存している全ての品物を撮影できることを保証する。
【００４１】
底壁１０６１にフック１０６７が設置されることが好ましい。フック１０６７によりカメラ５０に係合されるため、カメラ５０は配置空間１０６６内に固定される。具体的には、フック１０６７は略Ｕ字状を呈し、カメラ５０をフック１０６７のＵ字状の口によりフック１０６７中に係合して、カメラ５０を固定する。
【００４２】
さらにカメラ構造１０はコネクタ１０８を備える。コネクタ１０８はカメラ５０とドア３０内のその他の電子部品を電気接続するのに用いられる。本実施例において、コネクタ１０８はシート状を呈する。対応して、配置空間１０６６には少なくとも一つの貫通口１０６８が設けられている。貫通口１０６８はコネクタ１０８を配置するのに用いられる。貫通口１０６８はフック１０６７に近接して設置されるのが好ましい。カメラ５０に接続されていないコネクタ１０８の一端が貫通口１０６８に挿入された時、カメラ５０も共にフック１０６７に係合される。
【００４３】
ステップ４：カバー板を取り付ける。
【００４４】
カメラ構造１０はさらにカバー板１０９を備える。カバー板１０９は凹溝１０６をカバーし、カメラ５０を固定するのに用いられる。カバー板１０９はカメラ５０に対応する位置にさらに穿孔１０９１が設けられており、カメラ５０のレンズをカバー板１０９から露出させる。このようにカメラ５０を固定すると同時に、カメラ５０が正常に撮影するのを保証する。また、カバー板１０９はさらにカメラ５０に対して保護及び装飾作用を生成する。
【００４５】
本実施例において、カバー板１０９は係合の方法により固定ベース１０３に固定される。カバー板１０９の外周には係合ストリップ１０９２が設けられている。対応して、凹溝１０６の周壁１０６２にはマッチする係合溝１０６９が対応して設置されている。このように、係合ストリップ１０９２は係合溝１０６９に対応して係合接続されるため、カバー板１０９は予め係合接続して固定ベース１０３に接続することができる。当然、その他の方法、例えば、接着方法またはねじ山の接続方法を採用してカバー板１０９を固定ベース１０３に固定してもよい。
【００４６】
ステップ５：カメラ構造１０をドア３０の内表面３０１に取り付ける。
【００４７】
一つの実施例において、底板１０２の第二表面１０２２にはブロック１０２４が設置されている。対応して、内表面３０１にも対応してブロック１０２４にマッチするマッチ溝（図示せず）が設置されている。このように、ロックベース１０１はこのブロック１０２４により前記マッチ溝に係合され、ロックベース１０１を内表面３０１に固定する。
【００４８】
冷蔵庫１００内の保存物に対して無死角全方位を撮影する。好ましくは、カメラ構造１０の上側壁１０７１と下側壁１０７２は何れも第三方向に位置する。即ち、カメラ構造１０は第三方向に位置する。このように、カメラ構造１０はＺ軸方向に位置し、且つドア３０の内表面３０１に位置する時、カメラ５０はキャビネット２０の各層のトレー４０に対応して設置されるまたはカメラ５０のカメラの視覚範囲に基づいて調整される。したがって、カメラ５０がキャビネット２０が保存している全ての品物を撮影できることを保証する。同時に、カメラ構造１０はドア３０とキャビネット２０の接続箇所に設置されており、且つドア３０が開く箇所に近接している。このような設置は、ドア３０の内表面３０１に取付られているその他の部品、例えば、収納ボックス６０に影響しない。また、当然さらにカメラ５０の撮影する視覚範囲に遮断物が無いことを保証する必要がある。
【００４９】
その他の実施例において、先ずロックベース１０１を固定した後、突出部１０４により固定ベース１０３をロックベース１０１に固定してもよい。このように、ステップ２の前一つのステップを追加して、ロックベース１０１を固定し、次いで、ステップ５を省略してもよい。
【００５０】
以下二つの方法を提供してロックベース１０１を固定する。
【００５１】
方法一：底板１０２上にロック孔１０２３を設ける。このように、ねじ等の取付部品を利用してロック孔１０２３を貫通し、ロックベース１０１をドア３０の内表面３０１に固定してもよい。
【００５２】
方法二：ロックベース１０１を予めドア３０内に埋め込んでロックベース１０１を固定してもよい。同時に、突出部１０４は内表面３０１から突出している。
【００５３】
以上のことから、カメラ構造１０は冷蔵庫１００のドア３０の内表面３０１に設置されて、冷蔵庫１００の品物に対して撮影する。カメラ構造１０はＺ軸方向に位置し、ドア３０の内表面３０１に設置される場合、カメラ５０はキャビネット２０の各層のトレー４０に対応して設置されるまたはカメラ５０のカメラの視覚範囲に基づいて調整されることが好ましく、したがって、カメラ５０がキャビネット２０が保存している全ての品物を撮影できることを保証する。同時に、カメラ構造１０はドア３０とキャビネット２０の接続箇所に対応して設置されており、且つドア３０が開く箇所に近接している。このような設置は、ドア３０の内表面３０１に取り付けられているその他の部品に影響しない。また、当然さらにカメラ５０の撮影する視覚範囲に遮断物が無いことを保証する必要がある。このように、カメラ５０は冷蔵庫１００内の保存物に対して無死角全方位を撮影できる。同時に、カメラ構造１０の構造は簡単であり、素早く且つ冷蔵庫のその他の機能に影響せずに設置できる。
【００５４】
以上の実施例は、本発明の技術方案を説明しているだけであり、これに制限されない。実施形態を参照して本発明に対して詳細に説明しているが、当業者であれば理解できるものであり、本発明の技術方案の精神及び本質を逸脱しない限り、本発明の技術方案に対して修正できる又は同等なものに置き換えることができる。
【符号の説明】
【００５５】
１００  冷蔵庫
１０  カメラ構造
２０  キャビネット
３０  ドア
４０  トレー
５０  カメラ
６０  収納ボックス
１０１  ロックベース
１０２  底板
１０３  固定ベース
１０４  突出部
１０５  頂壁
１０６  凹溝
１０７  外周壁
１０８  コネクタ
１０９  カバー板
２００  配置部
３０１  内表面
３０３  外表面
１０１１  補強部
１０１５  第一取付柱
１０１７  第二取付柱
１０１９  クラスプ
１０２１  第一表面
１０２２  第二表面
１０２３  ロック孔
１０２４  ブロック
１０２５  第一ケーブル口
１０３１  開口
１０３２  第一通孔
１０３３  第一接続柱
１０４１  配線溝
１０４２  リブ
１０４３  位置決め部
１０４４  第二ケーブル口
１０６１  底壁
１０６２  周壁
１０６３  第二通孔
１０６４  第二接続柱
１０６５  バックル板
１０６６  配置空間
１０６７  フック
１０６８  貫通口
１０６９  係合溝
１０７１  上側壁
１０７２  下側壁
１０７３  左側壁
１０７５  フック部
１０７６  突出ブロック
１０９１  穿孔
１０９２  係合ストリップ
【図１】
2019074740.tif 000003
【図２】
2019074740.tif 000004
【図３】
2019074740.tif 000005
【図４】
2019074740.tif 000006
【図５】
2019074740.tif 000007